(57)【要約】【課題】  端末が狭域無線網から離脱したタイミングで情報を提供する情報提供システムおよび方法ならびに端末装置およびそのプログラムを提供する。【解決手段】  狭域無線基地局２００は端末１００が離脱したことを検知し、離脱した端末１００の狭域無線網識別子を情報提供手段２１１に通知する。情報提供手段２１１は、通知された狭域無線網識別子に対応する広域無線網識別子および提供情報を端末情報格納手段２１２から取得する。情報提供手段２１１は、離脱した端末１００に対する広域無線網を用いた情報提供を、メールサーバ３１０に対して指示する。メールサーバ３１０は、広域無線基地局３００を介し端末１００に対して提供情報を提供する。情報表示手段１０１は提供情報を表示する。【選択図】      図１
2007028501.tif 000002
【特許請求の範囲】
【請求項１】
情報提供装置と端末装置とを含み前記情報提供装置から前記端末装置に情報を提供する情報提供システムであって、
前記端末装置は、
狭域無線網にアクセスする手段と、
広域無線網にアクセスする手段と、
前記情報提供装置から提供された情報を表示する手段とを有し、
前記情報提供装置は、
前記端末装置が前記狭域無線網に帰属しなくなったときに前記広域無線網を用いて前記端末装置に情報を提供する手段を有する、
ことを特徴とする情報提供システム。
【請求項２】
狭域無線通信プロトコルで前記端末装置と通信を行う狭域無線基地局を備え、
前記狭域無線基地局は、
前記端末装置が前記狭域無線網に帰属しなくなったことを検知する手段と、
前記狭域無線網に帰属しなくなった前記端末装置の識別子を前記情報提供装置に通知する手段とを有する、
ことを特徴とする請求項１記載の情報提供システム。
【請求項３】
前記端末装置は、
前記端末装置が前記狭域無線網に帰属しなくなったことを検知する手段と、
前記狭域無線網に帰属しなくなった前記端末装置の識別子を前記広域無線網を用いて前記情報提供装置に通知する手段とを有する、
ことを特徴とする請求項１記載の情報提供システム。
【請求項４】
情報提供装置と端末装置とを含み前記情報提供装置から前記端末装置に情報を提供する情報提供システムであって、
前記端末装置は、
狭域無線網にアクセスする手段と、
広域無線網にアクセスする手段と、
前記情報提供装置から提供された情報を格納する手段と、
前記端末装置が前記狭域無線網に帰属しなくなったことを検知する手段と、
前記端末装置が前記狭域無線網に帰属しなくなったときに前記格納した情報を表示する手段とを有し、
前記情報提供装置は、
前記端末装置が前記狭域無線網に帰属したときに前記端末装置に情報を提供する手段を有する、
ことを特徴とする情報提供システム。
【請求項５】
狭域無線通信プロトコルで前記端末装置と通信を行う狭域無線基地局を備え、
前記狭域無線基地局は、
前記端末装置が前記狭域無線網に帰属したことを検知する手段と、
前記狭域無線網に帰属した前記端末装置の識別子を前記情報提供装置に通知する手段とを有する、
ことを特徴とする請求項４記載の情報提供システム。
【請求項６】
前記端末装置は、
前記端末装置が前記狭域無線網に帰属したことを検知する手段と、
前記狭域無線網に帰属した前記端末装置の識別子を前記情報提供装置に通知する手段とを有する、
ことを特徴とする請求項４記載の情報提供システム。
【請求項７】
前記情報提供装置は、
前記広域無線網を用いて前記端末装置に情報を提供する手段を有する、
ことを特徴とする請求項４，５または６記載の情報提供システム。
【請求項８】
前記情報提供装置は、
前記狭域無線網を用いて前記端末装置に情報を提供する手段を有する、
ことを特徴とする請求項４，５または６記載の情報提供システム。
【請求項９】
情報提供装置と端末装置とを含み前記情報提供装置から前記端末装置に情報を提供する情報提供システムの情報提供方法であって、
狭域無線基地局は、
狭域無線通信プロトコルで前記端末装置と通信を行い、
前記端末装置が狭域無線網に帰属しなくなったことを検知し、
狭域無線網に帰属しなくなった前記端末装置の識別子を前記情報提供装置に通知し、
前記情報提供装置は、
前記識別子に対応する情報を広域無線網を用いて前記端末装置に提供し、
前記端末装置は、
前記情報提供装置から提供された情報を表示する、
ことを特徴とする情報提供方法。
【請求項１０】
情報提供装置と端末装置とを含み前記情報提供装置から前記端末装置に情報を提供する情報提供システムの情報提供方法であって、
前記端末装置は、
前記端末装置が狭域無線網に帰属しなくなったことを検知し、
狭域無線網に帰属しなくなった前記端末装置の識別子を広域無線網を用いて前記情報提供装置に通知し、
前記情報提供装置は、
前記識別子に対応する情報を広域無線網を用いて前記端末装置に提供し、
前記端末装置は、
前記情報提供装置から提供された情報を表示する、
ことを特徴とする情報提供方法。
【請求項１１】
情報提供装置と端末装置とを含み前記情報提供装置から前記端末装置に情報を提供する情報提供システムの情報提供方法であって、
狭域無線基地局は、
狭域無線通信プロトコルで前記端末装置と通信を行い、
前記端末装置が狭域無線網に帰属したことを検知し、
狭域無線網に帰属した前記端末装置の識別子を前記情報提供装置に通知し、
前記情報提供装置は、
前記識別子に対応する情報を前記端末装置に提供し、
前記端末装置は、
前記情報提供装置から提供された情報を格納し、
前記端末装置が狭域無線網に帰属しなくなったことを検知し、
前記格納した情報を表示する、
ことを特徴とする情報提供方法。
【請求項１２】
前記情報提供装置は、
前記識別子に対応する情報を広域無線網を用いて前記端末装置に提供する、
ことを特徴とする請求項１１記載の情報提供方法。
【請求項１３】
前記情報提供装置は、
前記識別子に対応する情報を狭域無線網を用いて前記端末装置に提供する、
ことを特徴とする請求項１１記載の情報提供方法。
【請求項１４】
情報提供装置と端末装置とを含み前記情報提供装置から前記端末装置に情報を提供する情報提供システムの情報提供方法であって、
前記端末装置は、
前記端末装置が狭域無線網に帰属したことを検知し、
狭域無線網に帰属した前記端末装置の識別子を前記情報提供装置に通知し、
前記情報提供装置は、
前記識別子に対応する情報を前記端末装置に提供し、
前記端末装置は、
前記情報提供装置から提供された情報を格納し、
前記端末装置が前記狭域無線網に帰属しなくなったことを検知し、
前記格納した情報を表示する、
ことを特徴とする情報提供方法。
【請求項１５】
前記情報提供装置は、
前記識別子に対応する情報を広域無線網を用いて前記端末装置に提供する、
ことを特徴とする請求項１４記載の情報提供方法。
【請求項１６】
前記情報提供装置は、
前記識別子に対応する情報を狭域無線網を用いて前記端末装置に提供する、
ことを特徴とする請求項１４記載の情報提供方法。
【請求項１７】
情報提供装置と端末装置とを含み前記情報提供装置から前記端末装置に情報を提供する情報提供システムの端末装置であって、
狭域無線網にアクセスする手段と、
広域無線網にアクセスする手段と、
前記端末装置が前記狭域無線網に帰属しなくなったことを検知する手段と、
前記狭域無線網に帰属しなくなった前記端末装置の識別子を前記広域無線網を用いて前記情報提供装置に通知する手段と、
前記情報提供装置から提供された情報を表示する手段とを有する、
ことを特徴とする端末装置。
【請求項１８】
情報提供装置と端末装置とを含み前記情報提供装置から前記端末装置に情報を提供する情報提供システムの端末装置であって、
狭域無線網にアクセスする手段と、
広域無線網にアクセスする手段と、
前記端末装置が前記狭域無線網に帰属したことを検知する手段と、
前記狭域無線網に帰属した前記端末装置の識別子を前記情報提供装置に通知する手段と、
前記情報提供装置から提供された情報を格納する手段と、
前記端末装置が前記狭域無線網に帰属しなくなったことを検知する手段と、
前記端末装置が前記狭域無線網に帰属しなくなったときに前記格納した情報を表示する手段とを有する、
ことを特徴とする端末装置。
【請求項１９】
情報提供装置と端末装置とを含み前記情報提供装置から前記端末装置に情報を提供する情報提供システムのプログラムであって、
端末装置に、
狭域無線網にアクセスする機能、
広域無線網にアクセスする機能、
前記端末装置が前記狭域無線網に帰属しなくなったことを検知する機能、
前記狭域無線網に帰属しなくなった前記端末装置の識別子を前記広域無線網を用いて前記情報提供装置に通知する機能、
前記情報提供装置から提供された情報を表示する機能、
を実現させるためのプログラム。
【請求項２０】
情報提供装置と端末装置とを含み前記情報提供装置から前記端末装置に情報を提供する情報提供システムのプログラムであって、
端末装置に、
狭域無線網にアクセスする機能、
広域無線網にアクセスする機能、
前記端末装置が前記狭域無線網に帰属したことを検知する機能、
前記狭域無線網に帰属した前記端末装置の識別子を前記情報提供装置に通知する機能、
前記情報提供装置から提供された情報を格納する機能、
前記端末装置が前記狭域無線網に帰属しなくなったことを検知する機能、
前記端末装置が前記狭域無線網に帰属しなくなったときに前記格納した情報を表示する機能、
を実現させるためのプログラム。
【発明の詳細な説明】
【技術分野】
【０００１】
本発明は、情報提供システムおよび方法ならびに端末装置およびそのプログラムに関し、特に、端末が狭域無線網から離脱したタイミングで情報を提供する情報提供システムおよび方法ならびに端末装置およびそのプログラムに関する。
【背景技術】
【０００２】
従来の情報提供システムの一例が、特許文献１に記載されている。このシステム（従来例１と称する）では、ブルートゥース（Ｂｌｕｅｔｏｏｔｈ）のような狭域無線網および携帯電話網のような広域無線網の２つの網に接続する携帯端末と、店舗に設置され携帯端末に対して狭域無線網を介して位置情報を提供する店舗サーバと、広域無線網上に設置され携帯端末から提供された位置情報に応じて地域情報を提供する地域情報サーバとから構成される。
【０００３】
このシステムは、次のように動作する。はじめに、携帯端末が狭域無線網に帰属すると、携帯端末はその狭域無線を用いて、店舗に設置された店舗サーバから位置情報を取得する。次に、携帯端末は取得した位置情報を広域無線網を用いて地域情報サーバに提供し、その位置に関連する地域情報を地域情報サーバから取得する。
【０００４】
しかしながら、従来例１では，端末がＢｌｕｅｔｏｏｔｈや無線ＬＡＮ（ローカルエリアネットワーク）といった狭域無線網を用いて位置情報を取得するため，狭域無線網に接続している間しか情報提供を受けることができないという問題点があった。そのため、情報提供を実施するタイミングは端末が狭域無線網に接続したときに限られていた。
【０００５】
このような問題点を解決する技術が特許文献２および特許文献３に記載されている。
【０００６】
特許文献２記載の無線通信端末（従来例２）では、狭域無線通信手段と広域無線通信手段とを有する無線通信端末が、狭域無線通信によりデータ通信を行っている際に、狭域無線通信の信号品質が基準値以下になった場合は広域無線通信への接続を行い、データ通信を引き続き行う。
【０００７】
また、特許文献３記載の通信端末装置，基地局装置，および無線通信システム（従来例３）では、通信端末が狭域通信エリアに進入すると、通信アプリは基地局との間で狭域通信で通信を行い，通信端末が狭域通信エリアから離脱すると、通信アプリは基地局との間で広域通信で通信を行う。
【０００８】
【特許文献１】特開２００１−２２３７１２号公報
【特許文献２】特開２００４−３２８５９３号公報
【特許文献３】特開２００４−３４９９２２号公報
【発明の開示】
【発明が解決しようとする課題】
【０００９】
しかしながら，上述した従来例には、端末が狭域無線網から離脱したタイミングで情報を提供することができないという問題点があった。
【００１０】
その理由は、端末に対して継続的に情報を提供しており、端末が狭域無線網から離脱したタイミングで情報を提供するという考慮をしていないためである。
【００１１】
本発明の目的は、上述した従来の課題を解決する情報提供システムおよび方法ならびに端末装置およびそのプログラムを提供することにある。
【課題を解決するための手段】
【００１２】
本願第１の発明の情報提供システムは、情報提供装置と端末装置とを含み前記情報提供装置から前記端末装置に情報を提供する情報提供システムであって、前記端末装置は、狭域無線網にアクセスする手段と、広域無線網にアクセスする手段と、前記情報提供装置から提供された情報を表示する手段とを有し、前記情報提供装置は、前記端末装置が前記狭域無線網に帰属しなくなったときに前記広域無線網を用いて前記端末装置に情報を提供する手段を有する。
【００１３】
本願第２の発明の情報提供システムは、第１の発明において狭域無線通信プロトコルで前記端末装置と通信を行う狭域無線基地局を備え、前記狭域無線基地局は、前記端末装置が前記狭域無線網に帰属しなくなったことを検知する手段と、前記狭域無線網に帰属しなくなった前記端末装置の識別子を前記情報提供装置に通知する手段とを有する。
【００１４】
本願第３の発明の情報提供システムは、第１の発明において前記端末装置は、前記端末装置が前記狭域無線網に帰属しなくなったことを検知する手段と、前記狭域無線網に帰属しなくなった前記端末装置の識別子を前記広域無線網を用いて前記情報提供装置に通知する手段とを有する。
【００１５】
本願第４の発明の情報提供システムは、情報提供装置と端末装置とを含み前記情報提供装置から前記端末装置に情報を提供する情報提供システムであって、前記端末装置は、狭域無線網にアクセスする手段と、広域無線網にアクセスする手段と、前記情報提供装置から提供された情報を格納する手段と、前記端末装置が前記狭域無線網に帰属しなくなったことを検知する手段と、前記端末装置が前記狭域無線網に帰属しなくなったときに前記格納した情報を表示する手段とを有し、前記情報提供装置は、前記端末装置が前記狭域無線網に帰属したときに前記端末装置に情報を提供する手段を有する。
【００１６】
本願第５の発明の情報提供システムは、第４の発明において狭域無線通信プロトコルで前記端末装置と通信を行う狭域無線基地局を備え、前記狭域無線基地局は、前記端末装置が前記狭域無線網に帰属したことを検知する手段と、前記狭域無線網に帰属した前記端末装置の識別子を前記情報提供装置に通知する手段とを有する。
【００１７】
本願第６の発明の情報提供システムは、第４の発明において前記端末装置は、前記端末装置が前記狭域無線網に帰属したことを検知する手段と、前記狭域無線網に帰属した前記端末装置の識別子を前記情報提供装置に通知する手段とを有する。
【００１８】
本願第７の発明の情報提供システムは、第４，第５または第６の発明において前記情報提供装置は、前記広域無線網を用いて前記端末装置に情報を提供する手段を有する。
【００１９】
本願第８の発明の情報提供システムは、第４，第５または第６の発明において前記情報提供装置は、前記狭域無線網を用いて前記端末装置に情報を提供する手段を有する。
【００２０】
本願第９の発明の情報提供方法は、情報提供装置と端末装置とを含み前記情報提供装置から前記端末装置に情報を提供する情報提供システムの情報提供方法であって、狭域無線基地局は、狭域無線通信プロトコルで前記端末装置と通信を行い、前記端末装置が狭域無線網に帰属しなくなったことを検知し、狭域無線網に帰属しなくなった前記端末装置の識別子を前記情報提供装置に通知し、前記情報提供装置は、前記識別子に対応する情報を広域無線網を用いて前記端末装置に提供し、前記端末装置は、前記情報提供装置から提供された情報を表示する。
【００２１】
本願第１０の発明の情報提供方法は、情報提供装置と端末装置とを含み前記情報提供装置から前記端末装置に情報を提供する情報提供システムの情報提供方法であって、前記端末装置は、前記端末装置が狭域無線網に帰属しなくなったことを検知し、狭域無線網に帰属しなくなった前記端末装置の識別子を広域無線網を用いて前記情報提供装置に通知し、前記情報提供装置は、前記識別子に対応する情報を広域無線網を用いて前記端末装置に提供し、前記端末装置は、前記情報提供装置から提供された情報を表示する。
【００２２】
本願第１１の発明の情報提供方法は、情報提供装置と端末装置とを含み前記情報提供装置から前記端末装置に情報を提供する情報提供システムの情報提供方法であって、狭域無線基地局は、狭域無線通信プロトコルで前記端末装置と通信を行い、前記端末装置が狭域無線網に帰属したことを検知し、狭域無線網に帰属した前記端末装置の識別子を前記情報提供装置に通知し、前記情報提供装置は、前記識別子に対応する情報を前記端末装置に提供し、前記端末装置は、前記情報提供装置から提供された情報を格納し、前記端末装置が狭域無線網に帰属しなくなったことを検知し、前記格納した情報を表示する。
【００２３】
本願第１２の発明の情報提供方法は、第１１の発明において前記情報提供装置は、前記識別子に対応する情報を広域無線網を用いて前記端末装置に提供する。
【００２４】
本願第１３の発明の情報提供方法は、第１１の発明において前記情報提供装置は、前記識別子に対応する情報を狭域無線網を用いて前記端末装置に提供する。
【００２５】
本願第１４の発明の情報提供方法は、情報提供装置と端末装置とを含み前記情報提供装置から前記端末装置に情報を提供する情報提供システムの情報提供方法であって、前記端末装置は、前記端末装置が狭域無線網に帰属したことを検知し、狭域無線網に帰属した前記端末装置の識別子を前記情報提供装置に通知し、前記情報提供装置は、前記識別子に対応する情報を前記端末装置に提供し、前記端末装置は、前記情報提供装置から提供された情報を格納し、前記端末装置が前記狭域無線網に帰属しなくなったことを検知し、前記格納した情報を表示する。
【００２６】
本願第１５の発明の情報提供方法は、第１４の発明において前記情報提供装置は、前記識別子に対応する情報を広域無線網を用いて前記端末装置に提供する。
【００２７】
本願第１６の発明の情報提供方法は、第１４の発明において前記情報提供装置は、前記識別子に対応する情報を狭域無線網を用いて前記端末装置に提供する。
【００２８】
本願第１７の発明の端末装置は、情報提供装置と端末装置とを含み前記情報提供装置から前記端末装置に情報を提供する情報提供システムの端末装置であって、狭域無線網にアクセスする手段と、広域無線網にアクセスする手段と、前記端末装置が前記狭域無線網に帰属しなくなったことを検知する手段と、前記狭域無線網に帰属しなくなった前記端末装置の識別子を前記広域無線網を用いて前記情報提供装置に通知する手段と、前記情報提供装置から提供された情報を表示する手段とを有する。
【００２９】
本願第１８の発明の端末装置は、情報提供装置と端末装置とを含み前記情報提供装置から前記端末装置に情報を提供する情報提供システムの端末装置であって、狭域無線網にアクセスする手段と、広域無線網にアクセスする手段と、前記端末装置が前記狭域無線網に帰属したことを検知する手段と、前記狭域無線網に帰属した前記端末装置の識別子を前記情報提供装置に通知する手段と、前記情報提供装置から提供された情報を格納する手段と、前記端末装置が前記狭域無線網に帰属しなくなったことを検知する手段と、前記端末装置が前記狭域無線網に帰属しなくなったときに前記格納した情報を表示する手段とを有する。
【００３０】
本願第１９の発明のプログラムは、情報提供装置と端末装置とを含み前記情報提供装置から前記端末装置に情報を提供する情報提供システムのプログラムであって、端末装置に、狭域無線網にアクセスする機能、広域無線網にアクセスする機能、前記端末装置が前記狭域無線網に帰属しなくなったことを検知する機能、前記狭域無線網に帰属しなくなった前記端末装置の識別子を前記広域無線網を用いて前記情報提供装置に通知する機能、前記情報提供装置から提供された情報を表示する機能、を実現させる。
【００３１】
本願第２０の発明のプログラムは、情報提供装置と端末装置とを含み前記情報提供装置から前記端末装置に情報を提供する情報提供システムのプログラムであって、端末装置に、狭域無線網にアクセスする機能、広域無線網にアクセスする機能、前記端末装置が前記狭域無線網に帰属したことを検知する機能、前記狭域無線網に帰属した前記端末装置の識別子を前記情報提供装置に通知する機能、前記情報提供装置から提供された情報を格納する機能、前記端末装置が前記狭域無線網に帰属しなくなったことを検知する機能、前記端末装置が前記狭域無線網に帰属しなくなったときに前記格納した情報を表示する機能、を実現させる。
【発明の効果】
【００３２】
本発明は、ある場所を離れることをきっかけとして、確実に情報の提供を行えるという効果を有している。
【００３３】
その理由は、端末が狭域無線網に帰属しなくなったことを検知し、端末に対して安定した通信を行える広域無線網を通じて情報を提供するようにしたためである。
【発明を実施するための最良の形態】
【００３４】
本発明は、２つ以上の通信網に同時に接続可能な端末に対して、その端末が１つの通信網から切断されたことをきっかけにサービスを提供することを特徴としている。
【００３５】
具体的には、２つ以上の通信網に接続している端末が、接続している通信網のひとつから切断されたことを、通信網側もしくは端末自身が検知し、接続している残りの通信網を使用してサーバから端末に情報を送信する若しくは端末からサーバにサービスを要求する。
【００３６】
このようにすることで、ユーザの手間をかけずに、ある場所を離れたことをきっかけにして、ユーザに情報を提供することができる。
【００３７】
次に、本発明の情報提供システムを実施するための最良の形態について、図面を参照して詳細に説明する。
【００３８】
以下の実施例について説明する。
（１）第１の実施例：端末が狭域無線網に帰属しなくなったことを狭域無線網側で検知すると、広域無線網を用いて端末に情報を提供し、端末は提供された情報を表示する。
（２）第２の実施例：端末が狭域無線網に帰属しなくなったことを端末側で検知すると、広域無線網を用いて端末に情報を提供し、端末は提供された情報を表示する。
（３）第３の実施例：端末が狭域無線網に帰属したことを狭域無線網側で検知すると、広域無線網を用いて端末に情報を提供し、端末が狭域無線網に帰属しなくなったことを端末側で検知すると、端末は提供された情報を表示する。
（４）第４の実施例：端末が狭域無線網に帰属したことを端末側で検知すると、広域無線網を用いて端末に情報を提供し、端末が狭域無線網に帰属しなくなったことを端末側で検知すると、端末は提供された情報を表示する。
【００３９】
先ず、本発明の第１の実施例の構成について図面を参照して詳細に説明する。
図１は本発明の第１の実施例の構成を示す図である。
図２は端末情報の例を示す図である。
【００４０】
図１を参照すると、本発明の第１の実施例は、ユーザが携帯し移動する端末１００と、狭域無線基地局２００と、情報提供サーバ２１０と、広域無線基地局３００と、メールサーバ３１０とを備えている。
【００４１】
端末１００と狭域無線基地局２００とは、狭域無線通信プロトコルを用いて通信し、狭域無線網を形成する。例えば、狭域無線基地局２００は無線ＬＡＮアクセスポイントであり、端末１００は無線ＬＡＮ通信機能を有する端末である。使用する狭域無線通信プロトコルは、例えば、ＩＥＥＥ（Institute of Electrical and Electronic Engineers  米国電気電子学会）で標準化されたＩＥＥＥ８０２．１１ａ／ｂ／ｇなどである。
【００４２】
端末１００と広域無線基地局３００とは、広域無線通信プロトコルを用いて通信し、広域無線網を形成する。使用する広域無線通信プロトコルは、例えば、ＡＲＩＢ（社団法人電波産業会）で標準化されたＰＤＣ（Personal Digital Cellular），ＥＴＳＩ（European Telecommunications Standards Institute  欧州電機通信標準化協会）で標準化されたＧＳＭ（Global System for Mobile Communications），３ＧＰＰ（3rd Generation Partnersip Project）で標準化されたＷ−ＣＤＭＡ（Wideband-Code Division Multiple Access）などである。
【００４３】
端末１００は、プログラム制御で動作する情報処理装置で、例えばＰＤＡ（携帯情報端末）等である。端末１００は、狭域無線基地局２００と狭域無線により通信を行う狭域無線通信手段（図示せず）を有する。狭域無線通信手段は、狭域無線基地局２００と狭域無線により通信を行うときに、狭域無線基地局２００に対して自己の狭域無線網識別子を通知する。また、端末１００は、広域無線基地局３００と広域無線により通信を行う広域無線通信手段（図示せず）を有する。このことにより、端末１００は、狭域無線基地局２００および広域無線基地局３００の両方に帰属することができる（両方と通信を行うことができる）。また、端末１００は、端末１００が狭域無線網から離脱したタイミングで情報提供サーバ２１０から提供される情報を表示する情報表示手段１０１を含む。情報表示手段１０１は、例えばディスプレイなどに表示する。また、ディスプレイだけでなく、音による通知のためのスピーカ，光による通知のためのＬＥＤ（Luminescence Effect Diode），振動による通知のためのバイブレータなどで通知するようにしてもよい。
【００４４】
狭域無線基地局２００は、情報提供サーバ２１０とＬＡＮ２２０により接続されている。また、狭域無線基地局２００は、狭域無線基地局２００の範囲（狭域無線網）から端末１００が離脱したことを検知する離脱検知手段２０１を含む。
【００４５】
広域無線基地局３００は、携帯電話網やＰＨＳ（Personal Handyphone System）網などにおける基地局である。
【００４６】
メールサーバ３１０は、プログラム制御で動作する情報処理装置で、電子メールの送信や受信を行う。
【００４７】
広域無線基地局３００とメールサーバ３１０とは、携帯電話網３２０により接続されている。
【００４８】
情報提供サーバ２１０とメールサーバ３１０とは、インターネット等の通信網４００により接続されている。
【００４９】
情報提供サーバ２１０は、プログラム制御で動作する情報処理装置で、情報提供手段２１１と、端末情報格納手段２１２とを含む。  情報提供手段２１１は、端末情報格納手段２１２およびインターネット等の通信網４００とそれぞれ接続している。
【００５０】
端末情報格納手段２１２に格納している情報の例を図２に示す。図２を参照すると、端末情報格納手段２１２は、狭域無線網において端末１００を特定する狭域無線網識別子（例えば、ＭＡＣアドレス（Media Access Control address）など）、広域無線網において端末１００を特定する広域無線網識別子（例えば、メールアドレスなど）、および離脱時に端末１００に送信すべき提供情報（例えば、その日に返すべきレンタルビデオタイトル一覧など）などを含む端末情報を格納している。なお、端末情報格納手段２１２は、メモリや磁気ディスク等の記憶装置（図示せず）上に確保される。
【００５１】
また、情報提供サーバ２１０は、端末情報入力手段（図示せず）を有する。端末情報入力手段は、端末情報を入力して端末情報格納手段２１２に格納し、端末情報格納手段２１２に格納した端末情報を更新する。なお、情報提供サーバ２１０に接続した装置（図示せず）から端末情報の入力、更新を行うようにしてもよい。
【００５２】
以下、情報提供サーバ２１０は家庭に設置されているものとして説明を行う。よって、端末１００が狭域無線基地局２００から離脱することは、家を出ることを意味する。
【００５３】
なお、端末１００への提供情報は、レンタルビデオの期限が近いこと以外にも、家族の誕生日，今日の天気，最寄り駅の電車到着時刻，家の施錠状況，忘れ物，電球が切れていること（買い物リスト），などがある。
【００５４】
上記の各手段は、概略次のように動作する。
【００５５】
狭域無線基地局２００は、離脱検知手段２０１が狭域無線基地局２００の範囲（狭域無線網）から端末１００が離脱したことを検知すると、情報提供手段２１１に対して離脱した端末１００の狭域無線網識別子を通知する。
【００５６】
情報提供手段２１１は、離脱した端末１００の狭域無線網識別子を用いて、端末情報格納手段２１２を検索し、離脱した端末１００の広域無線網識別子および提供情報を取得する。そして、取得した端末１００に関する提供情報をインターネット等の通信網４００経由でメールサーバ３１０に提供し、広域無線網を使った情報提供を指示する。
【００５７】
メールサーバ３１０は、情報提供手段２１１からの指示に従い、提供情報を広域無線基地局３００経由で端末１００に提供する。より具体的には、メールサーバ３１０は、提供情報を含むメールを作成し、作成したメールを広域無線基地局３００経由で端末１００に発信する。
【００５８】
次に、図１，図２および図３を参照して、本発明の第１の実施例の動作について詳細に説明する。
図３は本発明の第１の実施例の動作を説明する図である。
【００５９】
まず、狭域無線基地局２００は、端末１００が離脱したことを検知する（図３のステップ１）。
【００６０】
狭域無線基地局２００は、離脱した端末１００の狭域無線網識別子（本例では、ＭＡＣアドレス「AB:CD:EF:00:00:00」）を情報提供手段２１１に通知する（ステップ２）。
【００６１】
情報提供手段２１１は、通知されたＭＡＣアドレスに対応する広域無線網識別子および提供情報を端末情報格納手段２１２から取得する（ステップ３〜４）。ここでは、広域無線網識別子としてメールアドレス「user1@nec.com」が、提供情報として「要返却ビデオあり」が検索される。
【００６２】
情報提供手段２１１は、離脱した端末１００に対する広域無線網を用いた情報提供を、メールサーバ３１０に対して指示する（ステップ５）。
【００６３】
メールサーバ３１０は、広域無線基地局３００を介して、端末１００に対して提供情報を提供する（ステップ６〜７）。そして、情報表示手段１０１は提供情報を表示する。
【００６４】
次に、本発明の第１の実施例の効果について説明する。
【００６５】
本発明の第１の実施例では、狭域無線基地局２００と情報提供サーバ２１０がＬＡＮ２２０で接続され、情報提供サーバ２１０とメールサーバ３１０がインターネット等の通信網４００で接続される構成をとっているため、端末１００が狭域無線網に帰属しなくなったタイミングで、広域無線網を用いた情報提供を実現できる。
【００６６】
さらに、端末が狭域無線網に帰属しなくなったことを狭域無線網側で検知する構成をとるので、上記情報提供は、ユーザの操作を必要としない。
【００６７】
なお、ここで用いられる広域無線網識別子は、端末１００のユーザである必要はない。
【００６８】
次に、本発明の第２の実施例の構成について図面を参照して詳細に説明する。
図４は本発明の第２の実施例の構成を示す図である。
【００６９】
第１の実施例では狭域無線基地局２００が離脱検知を行っていたが、本実施例では離脱検知を端末１０２が実施する。
【００７０】
図４を参照すると、本発明の情報提供システムの第２の実施例の構成は、第１の実施例の構成に対して、端末１０２の中に離脱検知手段１０３および情報表示手段１０１が配備されている。さらに、情報提供サーバ２１３内の情報提供手段２１４が、広域無線基地局３０１とインターネット等の通信網４１０を介して接続されている。また、狭域無線基地局２０２は離脱検知手段を有していない。
【００７１】
新しく追加された手段は、それぞれ概略次のように動作する。
【００７２】
離脱検知手段１０３は、狭域無線網から離脱したことを検知すると、情報提供サーバ２１３に広域無線網を使って（広域無線基地局３０１および通信網４１０経由で）狭域無線網識別子を通知する。なお、狭域無線網から離脱したことを検知したときに、情報提供を要求するか否か（狭域無線網識別子を情報提供サーバ２１３に通知するか否か）を選択するようにしてもよい。
【００７３】
情報表示手段１０１は、離脱検知手段１０３が狭域無線網からの離脱を検知したタイミングで情報提供サーバ２１０より提供された情報を表示する。
【００７４】
次に、図４および図５を参照して、本発明の第２の実施例の動作について詳細に説明する。
図５は本発明の第２の実施例の動作を説明する図である。
【００７５】
まず、端末１０２は離脱検知手段１０３により、狭域無線網から離脱したことを検知する（図５のステップ１）。
【００７６】
離脱検知手段１０３は、広域無線網を使い（広域無線基地局３０１および通信網４１０を経由して）、狭域無線網識別子（ここではＭＡＣアドレスとする）を情報提供手段２１４に送信する（ステップ２）。なお、端末１０２は情報提供サーバ２１０のアドレス（例えば、メールアドレス）を保持し、端末１０２は情報提供サーバ２１０のアドレス宛に狭域無線網識別子を送信する。
【００７７】
図５のステップ３以降は、図３のステップ３以降とそれぞれ同じであるため、説明を省略する。
【００７８】
次に、本発明の第２の実施例の効果について説明する。
【００７９】
第１の効果は、本発明の第２の実施例では、端末が狭域無線網に帰属している際に、端末の電源を切ることにより狭域無線網から離脱しても、そのタイミングで情報提供が実施されずにすむ。
【００８０】
その理由は、離脱検知を端末が実施するように構成されているため、情報提供を要求するか否かを端末が決定できるためである。
【００８１】
第２の効果は、本発明の第２の実施例では、離脱検知を行う特別な狭域無線基地局を必要としないことである。
【００８２】
その理由は、離脱検知を端末が実施するためである。
【００８３】
次に、本発明の第３の実施例の構成について図面を参照して詳細に説明する。
図６は本発明の第３の実施例の構成を示す図である。
【００８４】
第１の実施例および第２の実施例では、端末が離脱したタイミングで情報提供および情報表示の両方を実施していたが、本実施例では、端末が狭域無線網に帰属したタイミングで情報提供だけを行い、端末が狭域無線網から離脱したタイミングで、提供情報を表示する。
【００８５】
図６を参照すると、本発明の第３の実施例の構成は、第１の実施例の構成に対して、端末１０４の中に、離脱検知手段１０３と情報表示手段１０１と情報格納手段１０５とが配置されている。離脱検知手段１０３と情報表示手段１０１と情報格納手段１０５とがそれぞれ接続されている。また、狭域無線基地局２０３に、帰属検知手段２０４が配置されている。なお、情報格納手段１０５は、メモリや磁気ディスク等の記憶装置（図示せず）上に確保される。
【００８６】
新しく追加された手段は、それぞれ概略次のように動作する。
【００８７】
離脱検知手段１０３は、端末１０４が狭域無線網から離脱したことを検知すると、情報格納手段１０５に格納された提供情報を、情報表示手段１０１によって表示する。
【００８８】
帰属検知手段２０４は、端末１０４が狭域無線網に帰属したことを検知すると、情報提供サーバ２１０に対して、端末１０４の狭域無線網識別子を通知する。
【００８９】
次に、図６および図７を参照して、本発明の第３の実施例の動作について詳細に説明する。
図７は本発明の第３の実施例の動作を説明する図である。
【００９０】
まず、狭域無線基地局２０３は端末１０４の帰属を検知すると（図７ステップ１）、端末１０４の狭域無線網識別子（ここではＭＡＣアドレス）を情報提供サーバ２１０に通知する（ステップ２）。
【００９１】
情報提供サーバ２１０は、第１の実施例で示したのと同等の方法で、狭域無線網識別子を基に広域無線網識別子および提供情報を検索し、メールサーバ３１０に、それらを通知する（ステップ３）。
【００９２】
メールサーバ３１０は、広域無線基地局３００を介して、端末１０４に対して提供情報を提供する（ステップ４〜５）。ただし、ステップ５において、端末１０４に提供された提供情報は情報格納手段１０５に格納され、すぐには表示されない。
【００９３】
端末１０４は離脱検知手段１０３により端末１０４が狭域無線網を離脱したことを検知すると（ステップ６）、情報格納手段１０５から端末１０４に対して提供された提供情報を取得し（ステップ７〜８）、情報表示手段１０１に表示する（ステップ９）。
【００９４】
なお、上記では広域無線網により情報提供がされる場合について述べたが、狭域無線網により情報提供を行うようにしてもよい。すなわち、情報提供サーバは、狭域無線網識別子を基に提供情報を検索し、狭域無線基地局に狭域無線網識別子および提供情報を通知する。狭域無線基地局は狭域無線網識別子で示される端末に対して提供情報を送信する。
【００９５】
次に、本発明の第３の実施例の効果について説明する。
【００９６】
本発明の第３の実施例では、端末が狭域無線網に帰属している際に、端末の電源を切ることにより狭域無線網から離脱しても、電源を入れたそのタイミングで情報提供が実施されずにすむ。さらに、電源を入れた際に広域無線網に帰属できない（接続できない）場合であっても、情報提供を実施することができる。
【００９７】
その理由は、狭域無線網に帰属した際に予め情報が提供されているためである。
【００９８】
次に、本発明の第４の実施例の構成について図面を参照して詳細に説明する。
図８は本発明の第４の実施例の構成を示す図である。
【００９９】
第３の実施例では、狭域無線基地局が端末の狭域無線網への帰属を検知したが、本実施例では、端末が帰属の検知を行う。
【０１００】
図８を参照すると、本発明の第４の実施例の構成は、第３の実施例の構成に対して、端末１０６の中に、帰属検知手段１０７が配置されている。さらに、情報提供サーバ２１３内の情報提供手段２１４が、広域無線基地局３０１とインターネット等の通信網４１０を介して接続されている。また、狭域無線基地局２０２は帰属検知手段を有していない。
【０１０１】
新しく追加された手段は、それぞれ概略次のように動作する。
【０１０２】
帰属検知手段１０７は、狭域無線網に帰属したことを検知すると、情報提供サーバ２１０に対して、広域無線網を使って（広域無線基地局３０１および通信網４１０経由で）端末１０６の狭域無線網識別子を通知する。なお、狭域無線基地局２０２を介して、端末１０６の狭域無線網識別子を情報提供サーバ２１０に通知するようにしてもよい。
【０１０３】
次に、図８および図９を参照して、本発明の第４の実施例の動作について詳細に説明する。
図９は本発明の第４の実施例の動作を説明する図である。
【０１０４】
まず、帰属検知手段１０７は端末１０６が狭域無線網への帰属したことを検知すると（図９ステップ１）、情報提供サーバ２１０に端末１０６の狭域無線網識別子（ここではＭＡＣアドレス）を通知する（ステップ２）。なお、広域無線網を経由して情報提供サーバ２１０に端末１０６の狭域無線網識別子を通知してもよいし、狭域無線基地局２０２を経由して情報提供サーバ２１０に端末１０６の狭域無線網識別子を通知してもよい。
【０１０５】
図９のステップ３以降は、図７の第３の実施例のステップ３以降とそれぞれ同等のため、説明を省略する。
【０１０６】
なお、上記では広域無線網により情報提供がされる場合について述べたが、狭域無線網により情報提供を行うようにしてもよい。すなわち、情報提供サーバは、狭域無線網識別子を基に提供情報を検索し、狭域無線基地局に狭域無線網識別子および提供情報を通知する。狭域無線基地局は狭域無線網識別子で示される端末に対して提供情報を送信する。
【０１０７】
次に、本発明の第４の実施例の効果について説明する。
【０１０８】
本発明の第４の実施例では、第３の実施例で得られる効果を、帰属検知を行う特別な狭域無線基地局なしで実現できる。
【０１０９】
その理由は、端末が帰属検知を行うためである。
【０１１０】
次に、上記第１〜第４の実施例で説明した狭域無線基地局側の離脱検知手段（離脱検知手段２０１）と端末側の離脱検知手段（離脱検知手段１０３）について、更に詳細に説明する。
【０１１１】
先ず、狭域無線基地局側の離脱検知手段（離脱検知手段２０１）について説明する。
【０１１２】
狭域無線基地局は、狭域無線基地局に帰属した相手（端末）を記憶する帰属テーブルを有し、すでに帰属した相手（端末）の情報（例えば、相手の識別子）を帰属テーブルに格納して管理する。帰属テーブルはメモリ等の記憶手段（図示せず）に確保される。
【０１１３】
離脱検知手段２０１は、管理する相手（端末）に、以下のような条件が発生すると、帰属していた相手（端末）が離脱したと検知する。そして、帰属テーブルから、離脱した端末を削除する。
【０１１４】
（ａ−１）狭域無線基地局が再帰属要求（Reassociation Request）を待つ場合。指定時間（例えば、１００ｍｓ）以内に端末から再帰属要求が送信されてこなければ、その端末が狭域無線基地局のあるエリアからいなくなったと検知する。
【０１１５】
（ａ−２）狭域無線基地局が再送回数をカウントする場合。狭域無線基地局が端末に対してデータを送信し，それに対するＡＣＫ（ACKnowledgement）があるまで，データの再送を行う。指定回数（例えば、１０回）の再送を行ってもＡＣＫを受信しない場合、狭域無線基地局はその端末が狭域無線基地局のあるエリアから離脱したと検知する。
【０１１６】
（ａ−３）狭域無線基地局が電波強度を計測する場合。狭域無線基地局は端末からの電波強度を計測し、ある閾値（例えば、−８０ｄＢ）より弱い電波強度であった場合、その端末が狭域無線基地局のあるエリアから離脱したと検知する。
【０１１７】
（ａ−４）狭域無線基地局が電波強度を計測する場合。狭域無線基地局は端末からの電波強度を計測し、ある閾値（例えば、−８０ｄＢ）より弱い電波強度であった場合、指定された閾値を下回ってから指定時間（例えば、５００ｍｓ）経過した場合に、その端末が狭域無線基地局のあるエリアから離脱したと検知する。
【０１１８】
続いて、端末側の離脱検知手段（離脱検知手段１０３）について説明する。
【０１１９】
端末は、帰属した相手（狭域無線基地局）を記憶する領域を有し、帰属した相手（狭域無線基地局）の情報（例えば、狭域無線基地局の識別子など）を領域に格納して管理する。領域はメモリ等の記憶手段（図示せず）に確保される。
【０１２０】
離脱検知手段１０３は、管理する相手（狭域無線基地局）に対して、以下のような条件が発生すると、相手（狭域無線基地局）から離脱したと検知する。そして、領域から、登録されている狭域無線基地局を削除する。
【０１２１】
（ｂ−１）端末がビーコンを受信しなくなった場合。狭域無線基地局はビーコンを定期的に（例えば、１００ｍｓ間隔で）送出している。端末が指定時間（例えば、５００ｍｓ）の間、その端末が帰属している狭域無線基地局からのビーコンを受信しない場合、その端末は狭域無線基地局のあるエリアからいなくなったと検知する。
【０１２２】
（ｂ−２）端末が再送回数をカウントする場合。端末が狭域無線基地局に対してデータを送信し、それに対するＡＣＫがあるまで，データの再送を行う。指定回数（例えば、１０回）の再送を行ってもＡＣＫを受信しない場合、その端末は狭域無線基地局のあるエリアからいなくなったと検知する。
【０１２３】
（ｂ−３）端末が電波強度を参照する場合。端末が狭域無線基地局から受信したビーコンの電波強度を参照し、ある閾値（例えば、−８０ｄＢ）より弱い電波強度であった場合、その端末は狭域無線基地局のあるエリアからいなくなったと検知する。
【０１２４】
（ｂ−４）端末が電波強度を参照する場合。端末が狭域無線基地局から受信したビーコンの電波強度を参照し、ある閾値（例えば、−８０ｄＢ）より弱い電波強度であった場合、指定された閾値を下回ってから指定時間（例えば、５００ｍｓ）経過した場合に、その端末は狭域無線基地局のあるエリアから離脱したと検知する。
【０１２５】
次に、上記第３〜第４の実施例で説明した狭域無線基地局側の帰属検知手段（帰属検知手段２０４）と端末側の帰属検知手段（帰属検知手段１０７）について、更に詳細に説明する。
【０１２６】
無線ＬＡＮの場合、端末と狭域無線基地局は、同じ「グループ」に属する場合に通信を行うことができる。このグループは、例えば、ＳＳＩＤ（Service Set Identifier）によって識別される。
【０１２７】
先ず、狭域無線基地局側の帰属検知手段（帰属検知手段２０４）について説明する。
【０１２８】
帰属検知手段２０４は、以下のような条件が発生すると、端末が狭域無線基地局に帰属したと検知する。そして、上述した帰属テーブルに、帰属した端末を登録する。
【０１２９】
（ｃ−１）狭域無線基地局がビーコンを送出して周辺の端末を検索する場合。狭域無線基地局は自分の属するグループの識別子であるＳＳＩＤ（Service Set Identifier）含むビーコンパケットを定期的に送信する。それを受信した端末は属するＳＳＩＤがわかるので、帰属要求（Association Request）を狭域無線基地局に対して送出する。その端末が狭域無線基地局に帰属したと検知する。なお、端末が複数の狭域無線基地局からビーコンを受信した場合、電波強度の強い順に帰属する狭域無線基地局を選択することが一般的である。
【０１３０】
続いて、端末側の帰属検知手段（帰属検知手段１０７）について説明する。
【０１３１】
帰属検知手段１０７は、以下のような条件が発生すると、端末は狭域無線基地局に帰属したと検知する。そして、上述した領域に、帰属した狭域無線基地局を登録する。
【０１３２】
（ｄ−１）端末がプローブリクエストを送出して周辺の狭域無線基地局を検索する場合。端末が送出したプローブリクエストに対し、狭域無線基地局が自分の属するグループの識別子であるＳＳＩＤを含むレスポンスを送信する。このレスポンスにより、端末は属するＳＳＩＤがわかるので帰属要求（Association Request）を狭域無線基地局に対して送出する。端末はその狭域無線基地局に帰属したと検知する。
【０１３３】
更に、上述した（ａ−３）および（ａ−４）について図面を参照して説明する。
図１０は離脱検知の一例を説明する図である。
図１１は離脱検知の一例を説明する図である。
【０１３４】
（ａ−３）について説明する。
【０１３５】
離脱検知手段２０１は、電波強度閾値を記憶している閾値領域と、端末の電波強度を計測する電波強度計測手段と、端末の電波強度が指定された閾値を下回ったときに端末が離脱したとみなす第１端末離脱判断手段とを含んでいる。
【０１３６】
そして、以下のように動作する。図１０を参照すると、端末の電波強度を計測する（ステップ１０１）。なお、電波強度を計測する方法は公知の方法による。計測した端末の電波強度と電波強度閾値（例えば、−８０ｄＢ）とを比較し（ステップ１０２）、計測した端末の電波強度が電波強度閾値を下回ったときに（ステップ１０３：Ｙｅｓ）、端末が離脱したとみなす（ステップ１０４）。そうでないときは（ステップ１０３：Ｎｏ）、端末は帰属しているとみなす（ステップ１０５）。
【０１３７】
（ａ−４）について説明する。
【０１３８】
離脱検知手段２０１は、電波強度閾値を記憶している閾値領域と、指定時間を記憶している指定時間領域と、指定時間を計測するタイマーと、端末の電波強度を計測する電波強度計測手段と、端末の電波強度が指定された閾値を下回ってから指定時間経過したときに端末が離脱したとみなす第２端末離脱判断手段とを含んでいる。
【０１３９】
そして、以下のように動作する。図１１を参照すると、端末の電波強度を計測する（ステップ１１１）。計測した端末の電波強度と電波強度閾値（例えば、−８０ｄＢ）とを比較し（ステップ１１２）、計測した端末の電波強度が電波強度閾値を下回ったときに（ステップ１１３：Ｙｅｓ）、記憶している指定時間（例えば、５００ｍｓ）をタイマーにセットする（ステップ１１４）。タイマーが指定時間を経過したときに（ステップ１１５：Ｙｅｓ）、端末が離脱したとみなす（ステップ１１６）。そうでないときは（ステップ１１３：Ｎｏ）、端末は帰属しているとみなす（ステップ１１７）。
【０１４０】
なお、（ｂ−３）において、離脱検知手段１０３は、電波強度閾値を記憶している閾値領域と、ビーコンの電波強度を計測する電波強度計測手段と、ビーコンの電波強度が指定された閾値を下回ったときに端末が離脱したとみなす第３端末離脱判断手段とを含んでいる。そして、図１０に記載した離脱検知と同等の離脱検知を行う。
【０１４１】
また、（ｂ−４）において、離脱検知手段１０３は、電波強度閾値を記憶している閾値領域と、指定時間を記憶している指定時間領域と、指定時間を計測するタイマーと、ビーコンの電波強度を計測する電波強度計測手段と、ビーコンの電波強度が指定された閾値を下回ってから指定時間経過したときに端末が離脱したとみなす第４端末離脱判断手段とを含んでいる。そして、図１１に記載した離脱検知と同等の離脱検知を行う。
【０１４２】
更に、上述した（ａ−３），（ａ−４），（ｂ−３）および（ｂ−４）における電波強度閾値と指定時間に関する調整（変更）方法について説明する。
【０１４３】
［１］（ｂ−３）および（ｂ−４）における電波強度閾値と指定時間に関する調整（変更）方法。端末に、電波強度閾値および指定時間を入力する手段と、入力した電波強度閾値および指定時間を基に閾値領域に記憶している電波強度閾値および指定時間領域に記憶している指定時間を変更する手段とを含む。そして、端末は、電波強度閾値および指定時間を入力し、入力した電波強度閾値および指定時間を基に閾値領域に記憶している電波強度閾値および指定時間領域に記憶している指定時間を変更する。電波強度閾値を高くすることで、離脱したと判断する距離を近くすることができる。また、指定時間を短くすることで、同様の効果（近距離で離脱を判断）を得ることができる。このように、端末を使用するユーザの使い勝手を向上させる効果を得ることができる。
【０１４４】
［２］（ａ−３）および（ａ−４）における電波強度閾値と指定時間に関する調整（変更）方法。狭域無線基地局に、電波強度閾値および指定時間を入力する手段と、入力した電波強度閾値および指定時間を基に閾値領域に記憶している電波強度閾値および指定時間領域に記憶している指定時間を変更する手段とを含む。そして、狭域無線基地局は、電波強度閾値および指定時間を入力し、入力した電波強度閾値および指定時間を基に閾値領域に記憶している電波強度閾値および指定時間領域に記憶している指定時間を変更する。なお、端末に、電波強度閾値および指定時間を入力して狭域無線基地局に送信する手段を含み、狭域無線基地局に、電波強度閾値および指定時間を受信する手段と、受信した電波強度閾値および指定時間を基に閾値領域に記憶している電波強度閾値および指定時間領域に記憶している指定時間を変更する手段とを含むようにしてもよい。狭域無線基地局毎の電波強度閾値および指定時間の設定は、使用する狭域無線基地局が、例えば家の場合と会社の場合で、異なる設定を持たせることができる。狭域無線基地局毎に電波強度閾値と指定時間に関する調整を行うことにより、狭域無線基地局を使用する（全ての）ユーザの使い勝手を向上させる効果を得ることができる。
【０１４５】
［３］また、情報提供サーバに、電波強度閾値を記憶している閾値領域と、指定時間を記憶している指定時間領域と、電波強度閾値と指定時間とを入力する手段と、入力した電波強度閾値および指定時間を基に閾値領域に記憶している電波強度閾値および指定時間領域に記憶している指定時間を変更する手段とを含む。そして、情報提供サーバは、電波強度閾値と指定時間とを入力し、入力した電波強度閾値および指定時間を基に閾値領域に記憶している電波強度閾値および指定時間領域に記憶している指定時間を変更する。そして、情報提供サーバから狭域無線基地局あるいは端末に電波強度閾値と指定時間とを送信し、狭域無線基地局あるいは端末は受信した電波強度閾値と指定時間とを保持して離脱検知を行うようにしてもよい。システム全体に設定された電波強度閾値と指定時間は、どの情報通知においても、どの狭域無線基地局を使用する場合においても、共通的に適用される。システム全体として電波強度閾値と指定時間に関する調整を行うことにより、システムを使用する（全ての）ユーザの使い勝手を向上させる効果を得ることができる。
【０１４６】
［４］また、情報提供サーバに、端末情報格納手段に格納する端末情報に対応して電波強度閾値を記憶している閾値領域と、端末情報格納手段に格納する端末情報に対応して指定時間を記憶している指定時間領域と、電波強度閾値および指定時間とを入力する手段と、入力した電波強度閾値および指定時間を基に閾値領域に記憶している電波強度閾値および指定時間領域に記憶している指定時間を変更する手段とを含むようにしてもよい。そして、情報提供サーバは、端末情報格納手段に格納する端末情報に対応して電波強度閾値と指定時間とを入力し、入力した電波強度閾値および指定時間を基に閾値領域に記憶している電波強度閾値および指定時間領域に記憶している指定時間を変更する。そして、情報提供サーバから端末情報格納手段に格納する端末情報の識別子で示される端末に、対応する電波強度閾値と指定時間とを送信し、端末は受信した電波強度閾値と指定時間とを保持して離脱検知を行うようにしてもよい。なお、端末から電波強度閾値と指定時間とを入力し、入力した電波強度閾値と指定時間とを端末の識別子と共に情報提供サーバに送信する。そして、情報提供サーバは端末の識別子で示す端末情報に対応する電波強度閾値と指定時間とを変更するようにしてもよい。提供情報の設定と関連付けて電波強度閾値と指定時間の調整を行うようにすることで、例えば，提供情報が「ビデオ返却のお知らせ」の場合は家から遠く離れたとき、提供情報が「鍵閉め忘れ通知」の場合はより近距離で、といった設定ができるようになる。このようにして、端末を使用するユーザの使い勝手を向上させる効果を得ることができる。
【０１４７】
更に、上述した［４］における「端末から電波強度閾値と指定時間とを入力し、情報提供サーバに記憶する電波強度閾値と指定時間とを変更する」方法の例について、詳細に説明する。
【０１４８】
（例１）端末は、情報提供サーバのメールアドレスを保持する手段と、電波強度閾値と指定時間の調整情報を含むメールを作成する手段と、作成したメールを情報提供サーバ宛に送信する手段とを含む。そして、端末は、電波強度閾値と指定時間の調整情報ならびに端末の識別子を含むメールを作成し、保持するメールアドレスを指定し、作成したメールを情報提供サーバ宛に送信する。情報提供サーバは受信したメールから抽出した電波強度閾値と指定時間の調整情報で、端末の識別子に対応して記憶している電波強度閾値と指定時間とを変更する。電波強度閾値と指定時間の調整情報として、電波強度閾値と指定時間を指定してもよいし、現在記憶されている値に対する相対値を指定してもよい。例えば、指定時間に対して「＋５」（５秒遅く情報を配信するを意味する）が指定されれば、指定時間領域に記憶している指定時間を＋５した値に変更する。
【０１４９】
（例２）端末に、情報提供サーバの情報提供サーバのＵＲＬ (Universal Resource Locator）を保持する手段と、情報提供サーバのＵＲＬを指定して情報提供サーバのパラメータ調整Ｗｅｂページを表示する手段と、情報提供サーバのパラメータ調整Ｗｅｂページに入力した電波強度閾値と指定時間の調整情報を送信する手段とを含む。そして、端末は、情報提供サーバのＵＲＬを指定して情報提供サーバのパラメータ調整Ｗｅｂページを表示し、入力した電波強度閾値と指定時間の調整情報ならびに端末の識別子を送信する。情報提供サーバは受信したパラメータ調整Ｗｅｂページから抽出した電波強度閾値と指定時間の調整情報で、端末の識別子に対応して記憶している電波強度閾値と指定時間とを変更する。
【０１５０】
上記説明したように、電波強度閾値と指定時間とを調整して、離脱したと検知するタイミングを調整できるようにすることで、より適切なタイミングでの情報通知が可能になるという効果を有する。
【０１５１】
次に、上述した実施例の変形例（他の実施例）について説明する。
【０１５２】
上述した実施例では、狭域無線基地局として無線ＬＡＮアクセスポイントを、端末として無線ＬＡＮ機能を有する端末を、例に用いて説明した。他の実施例として、狭域無線基地局としてＲＦＩＤ（Radio Frequency Identification）リーダを含み、端末としてＲＦＩＤタグを含むようにしてもよい。このとき、使用する狭域無線通信プロトコルは、例えば、ＩＳＯ（International Organization for Standardization  国際標準化機構）で標準化されたＩＳＯ１５６９３などである。
【０１５３】
また、狭域無線基地局としてＩＣリーダを含み、端末として電子タグ，非接触タグ，非接触ＩＣタグ，非接触ＩＣカード，あるいはＳｕｉｃａ機能（非接触ＩＣカード）入りの携帯電話などを含むようにしてもよい。
【０１５４】
また、狭域無線基地局としてブルートゥース（Ｂｌｕｅｔｏｏｔｈ）対応機器を含み、端末としてブルートゥース（Ｂｌｕｅｔｏｏｔｈ）対応機器を含むようにしてもよい。
【０１５５】
また、上述した実施例では、狭域無線基地局２００に離脱検知手段２０１を、情報提供サーバ２１０に情報提供手段２１１および端末情報格納手段２１２を配置しているが、狭域無線基地局２００に離脱検知手段２０１，情報提供手段２１１および端末情報格納手段２１２を配置するようにしてもよい。また、狭域無線基地局２００に離脱検知手段２０１および情報提供手段２１１を配置し，情報提供サーバ２１０に端末情報格納手段２１２を配置するようにしてもよい。また、情報提供サーバ２１０に離脱検知手段２０１，情報提供手段２１１および端末情報格納手段２１２を配置するようにしてもよい。
【０１５６】
本発明による上述した実施の形態において、端末装置の処理動作を実行するためのプログラム等を、データとして端末装置の磁気ディスクやＲＯＭ等の記録媒体（図示せず）に記録するようにし、記録されたデータを読み出して端末装置を動作させるために用いる。このように、本発明による端末装置を動作させるデータを記録媒体に記録させ、この記録媒体をインストールすることにより端末装置の機能が実現できるようになる。
【産業上の利用可能性】
【０１５７】
本発明によれば、端末があるエリアを離れるときに警告を発する情報提供装置などに適用できる。
【図面の簡単な説明】
【０１５８】
【図１】本発明の第１の実施例の構成を示す図
【図２】端末情報の例を示す図
【図３】本発明の第１の実施例の動作を説明する図
【図４】本発明の第２の実施例の構成を示す図
【図５】本発明の第２の実施例の動作を説明する図
【図６】本発明の第３の実施例の構成を示す図
【図７】本発明の第３の実施例の動作を説明する図
【図８】本発明の第４の実施例の構成を示す図
【図９】本発明の第４の実施例の動作を説明する図
【図１０】離脱検知の一例を説明する図
【図１１】離脱検知の一例を説明する図
【符号の説明】
【０１５９】
１００    端末
１０１    情報表示手段
１０２    端末
１０３    離脱検知手段
１０４    端末
１０５    情報格納手段
１０６    端末
１０７    帰属検知手段
２００    狭域無線基地局
２０１    離脱検知手段
２０２    狭域無線基地局
２０３    狭域無線基地局
２０４    帰属検知手段
２１０    情報提供サーバ
２１１    情報提供手段
２１２    端末情報格納手段
２１３    情報提供サーバ
２１４    情報提供手段
２２０    ＬＡＮ
３００    広域無線基地局
３０１    広域無線基地局
３１０    メールサーバ
３２０    携帯電話網
４００    通信網
４１０    通信網
【図１】
2007028501.tif 000003
【図２】
2007028501.tif 000004
【図３】
2007028501.tif 000005
【図４】
2007028501.tif 000006
【図５】
2007028501.tif 000007
【図６】
2007028501.tif 000008
【図７】
2007028501.tif 000009
【図８】
2007028501.tif 000010
【図９】
2007028501.tif 000011
【図１０】
2007028501.tif 000012
【図１１】
2007028501.tif 000013